(57)【要約】【課題】データの転送負荷を重くせずに、複数の表示端末で同内容のデータを表示する。【解決手段】他の表示端末（１）と共有しているデータに対する第１処理を受け付け、第１処理を示す第１処理情報を他の表示端末（１）に送信するコマンド送受信部（２３）と、第１処理をデータに反映させるとともに、他の表示端末（１）におけるデータに対する第２処理を示す第２処理情報をデータに反映させるファイル処理部（２１）とを備える。【選択図】図１
2015219785.tif 000002
【特許請求の範囲】
【請求項１】
表示中のデータに対し処理を実行する表示端末であって、
所望の他の表示端末とグループを形成するグループ形成手段と、
上記グループ形成手段によって形成されたグループに含まれる上記の他の表示端末と共有している上記データに対する第１処理を受け付ける受付部と、
上記受付部で受け付けた上記第１処理を示す第１処理情報を上記の他の表示端末に送信する処理情報送信手段と、
上記受付部で受け付けた上記第１処理を上記データに反映させるとともに、上記の他の表示端末にて上記の共有されているデータに対しなされた第２処理を示す第２処理情報を当該他の表示端末から受信したとき、該第２処理を上記データに反映させるデータ処理手段と、
を備えていることを特徴とする表示端末。
【請求項２】
上記グループ形成手段によって形成されたグループに含まれる上記の他の表示端末との間で、上記データの送信および受信の少なくとも何れかを行うことにより共有する上記データを準備するデータ準備手段を備えていることを特徴とする請求項１に記載の表示端末。
【請求項３】
上記のデータは複数であり、
上記グループ形成手段は、上記データ毎に異なるグループを形成することを特徴とする請求項１または２に記載の表示端末。
【請求項４】
表示中のデータに対し処理を実行する表示端末の制御方法であって、
上記表示端末のグループ形成手段が、所望の他の表示端末とグループを形成するグループ形成ステップと、
上記表示端末のデータ処理手段が、受付部で受け付けた、上記グループ形成ステップによって形成されたグループに含まれる上記の他の表示端末と共有している上記データに対する第１処理を上記データに反映させるデータ処理ステップと、
上記表示端末の処理情報送信手段が、上記受付部で受け付けた上記第１処理を示す第１処理情報を上記の他の表示端末に送信する処理情報送信ステップと、を含み、
上記の他の表示端末にて上記の共有されているデータに対しなされた第２処理を示す第２処理情報を当該他の表示端末から受信したとき、上記データ処理手段は上記データに該第２処理情報が示す処理を上記データに反映させることを特徴とする表示端末の制御方法。
【請求項５】
請求項１〜３のいずれか１項に記載の表示端末としてコンピュータを機能させるための制御プログラムであって、コンピュータを上記各手段として機能させるための制御プログラム。
【発明の詳細な説明】
【技術分野】
【０００１】
本発明は、表示している情報を編集可能な表示端末等に関する。
【背景技術】
【０００２】
従来、会議等において、複数の参加者それぞれに、ネットワークに接続された情報端末が割り当てられ、或る情報端末の画面を他の情報端末の画面に表示させることにより、画面を共有するシステムが利用されている。
【０００３】
画面を共有することにより、或る情報端末の画面に表示された情報に対する追加・修正等を他の情報端末の画面に表示されている情報に反映することが可能となり、各参加者がそれぞれの情報端末において、最新の情報を共有できる。また、ネットワークに接続される情報端末は、スマートフォン等に限られず、大画面ディスプレイ、パーソナルコンピュータ等、表示画面を備えたものが用いられる。
【０００４】
そして、特許文献１には、サーバ端末とクライアント端末とにおいて、それぞれがキャプチャ画面の送受信を行うことにより、画像データを共有する技術が開示されている。
【０００５】
また、特許文献２には、電子情報ボード装置と端末装置とで画面共有し、端末装置において電子情報ボード装置に表示されている内容を編集し、編集結果を他の端末装置に反映させる技術が開示されている。
【先行技術文献】
【特許文献】
【０００６】
【特許文献１】特開２００９−２３０５７９号公報（２００９年１０月８日公開）
【特許文献２】特開２０１２−４３２５０号公報（２０１２年３月１日公開）
【発明の概要】
【発明が解決しようとする課題】
【０００７】
しかしながら、上述のような従来技術は、画面共有を行うため、各情報端末間において絶えず画面データの送受信が必要となり、データ転送負荷の増大、編集結果を反映させるまでに時間を要する等の問題がある。
【０００８】
本発明は、上記問題に鑑みてなされたものであり、その目的は、データの転送負荷を重くすることなく、複数の装置間で同内容のデータを表示可能な表示端末等を実現することにある。
【課題を解決するための手段】
【０００９】
上記の課題を解決するために、本発明に係る表示端末は、表示中のデータに対し処理を実行する表示端末であって、所望の他の表示端末とグループを形成するグループ形成手段と、上記グループ形成手段によって形成されたグループに含まれる上記の他の表示端末と共有している上記データに対する第１処理を受け付ける受付部と、上記受付部で受け付けた上記第１処理を示す第１処理情報を上記の他の表示端末に送信する処理情報送信手段と、上記受付部で受け付けた上記第１処理を上記データに反映させるとともに、上記の他の表示端末にて上記の共有されているデータに対しなされた第２処理を示す第２処理情報を当該他の表示端末から受信したとき、該第２処理を上記データに反映させるデータ処理手段と、を備えている。
【発明の効果】
【００１０】
本発明の一態様によれば、所望の表示端末からなるグループで共有しているデータに対し、何らかの処理が実行されると、グループ内の全ての表示端末で該処理を反映することができる。よって、グループ内の全ての表示端末で同じ内容のデータを表示できるという効果を奏する。また、データ共有後は、処理情報の送受信のみで同じ内容のデータを表示可能となるので、画面データを送受信する場合と比較して、データ転送負荷が増大してしまうということを防止することができるという効果を奏する。
【図面の簡単な説明】
【００１１】
【図１】本発明の実施形態に係る表示端末の要部構成を示すブロック図である。
【図２】本発明の概要を説明するための図である。
【図３】上記表示端末における処理の流れを示すシーケンス図である。
【図４】上記表示端末における表示画面例を示す図である。
【図５】本発明の別の実施形態を説明するための図である。
【図６】上記別の実施形態における表示装置の画面例を示す図である。
【発明を実施するための形態】
【００１２】
〔実施形態１〕
〔概要〕
以下、本発明の実施形態について、図１〜４を参照して説明する。本実施形態に係る表示端末１（１Ａ）は、予め設定されたネットワーク１００Ａを形成している他の表示端末１（１Ｂ、１Ｃ、…）と編集対象となるファイルを共有するとともに、自端末で受け付けたファイルに対する編集処理の内容を示す編集コマンドを他の表示端末１に送信する。また、他の表示端末１で受け付けたファイルに対する編集処理の内容を示す編集コマンドを受信し、該編集コマンドが示す編集内容を編集対象となっているファイルに反映させる。
【００１３】
これにより、ネットワーク１００Ａを形成している表示端末１間において、同内容のファイルを表示するとともに、何れの表示端末１においてなされたファイルに対する編集処理であっても、他の表示装置１にファイルに反映することができる。
【００１４】
なお、本明細書では、表示端末を区別する必要がないときは単に「表示端末１」と記載し、区別する必要があるときは、それぞれ「表示端末１Ａ」、「表示端末１Ｂ」、…と記載する。また、ネットワーク１００Ａとは、特定のファイルを共有する表示端末１同士によって形成されるネットワークのことをいう。
【００１５】
図２を参照して説明する。図２は、本実施形態のネットワークの概要を示す図である。図２に示す例では、表示端末１Ａ、表示端末１Ｂ、表示端末１Ｃ、および表示端末１Ｄによってネットワーク１００Ａが形成されている。この場合、４台の表示端末１それぞれにおいて、編集対象となるファイルを共有し、何れかの表示端末１においてファイルへの編集処理がなされた場合、当該編集処理を示す編集コマンドを他の表示端末１に送信する。そして、編集コマンドを受信した他の表示装置１は、当該編集コマンドが示す編集内容を編集対象ファイルに反映させる。これにより、編集コマンドの送受信のみにより、４台の表示端末１それぞれが同内容ファイルを表示することができる。また、編集コマンドのみの送受信のみなので、データ転送負荷が増大することもない。
【００１６】
〔表示端末１の構成〕
次に、図１を参照して、表示端末１について説明する。図１は、表示端末１の要部構成を示すブロック図である。図１に示すように、表示端末１は、制御部１０、表示部１１、操作受付部（受付部）１２、ＲＡＭ（Random Access Memory）１３、およびハードディスク１４を含む構成である。また、制御部１０には、ファイル処理部２１（データ処理手段）、コマンド受付部２２、コマンド送受信部（処理情報送信手段）２３、ファイル共有部（グループ形成手段、データ準備手段）２４、および通信部２５が含まれている。
【００１７】
表示部１１は、編集対象のファイル、ファイルを共有しているか否かを示す情報等の表示を行う。表示部１１としては、情報の表示が可能であればどのような装置によって実現されてもよく、具体的な例としては、液晶ディスプレイ、有機ＥＬ（Electro Luminescence）ディスプレイ、プラズマディスプレイ等が挙げられる。
【００１８】
操作受付部１２は、表示端末１に対する操作を受け付ける。より詳細には、操作受付部１２は、編集対象ファイルに対する編集指示（予め登録されている編集コマンド）の選択を受け付け、受け付けた内容をコマンド受付部２２へ通知する。また、操作受付部１２は、ファイルの共有指示を受け付け、受け付けた内容をファイル処理部２４へ通知する。操作受付部１２は、タッチパネルにより構成され、表示部１１と一体となっていてもよいし、キーボードおよびマウスにより構成されていてもよい。
【００１９】
ＲＡＭ１３は、制御部１０がファイル等を処理するに当たり、一時的に処理中のファイルデータを格納するメモリである。図１では、ＲＡＭ１３にファイル３１が格納されている状態が示されている。
【００２０】
ハードディスク１４は、データ共有機能を実行するデータ共有プログラム３２をはじめ、各種プログラム、各種動作設定値、各種データなどが格納されたている、不揮発性の記憶装置である。
【００２１】
制御部１０は、ファイル共有処理、編集コマンド送受信処理を含む表示端末１における各種処理を制御する。
【００２２】
ファイル処理部２１は、後述するコマンド受付部２２が受け付けた編集コマンドまたはコマンド送受信部２３が受信した編集コマンドに基づいて、編集対象のファイルに対し編集処理を実行し、実行した結果を表示部１１に表示させる。
【００２３】
なお、編集処理は、例えば「文字修正」の場合、修正対象となる文字、または、文字列が選択され、編集コマンド（文字修正）が選択されることにより実行する。この場合に、文字入力エリアが表示されてもよい。文字入力エリアに修正すべき文字、または、文字列を入力し、例えばＥｎｔｅｒキーが押下されることにより、文字の修正が実行される。また、「文字削除」の場合、削除対象となる文字、または、文字列が選択され、編集コマンド（文字削除）が選択されることにより実行する。また、「文字追加」の場合、対象となる文字を追加挿入したい部分にカーソルを合わせ、編集コマンド（文字追加）が選択されることにより実行する。この場合に、文字入力エリアが表示されてもよい。文字入力エリアに追加すべき文字、または、文字列を入力し、例えばＥｎｔｅｒキーが押下されると、カーソル位置に文字が追加される。
【００２４】
また、コマンド受付部２２が受け付けた編集コマンドに基づいて実行する編集処理を実行する編集処理を第１処理とも呼び、コマンド送受信部２３が受信した編集コマンドに基づいて実行する編集処理を第２処理とも呼ぶ。
【００２５】
コマンド受付部２２は、操作受付部１２で受け付けた編集コマンドをファイル処理部２１およびコマンド送受信部２３へ通知する。
【００２６】
コマンド送受信部２３は、コマンド受付部２２から通知された編集コマンドを、通信部２５を介してネットワーク１００に接続されている他の表示装置１へ通知する。また、コマンド送受信部２３は、他の表示装置１から送信された編集コマンドを通信部２５を介して受信し、ファイル処理部２１へ通知する。
【００２７】
ファイル共有部２４は、操作受付部１２からファイル共有指示が通知されると、共有対象となったファイルのデータを、通信部２５を介してネットワーク１００に接続されている他の表示装置１へ送信する。また、他の表示装置１から送信されたファイルのデータを、通信部２５を介して取得し、ＲＡＭ１３へ格納する。
【００２８】
通信部２５は、ネットワーク１００を介して接続されている他の表示装置１との通信を行う。
【００２９】
なお、編集コマンドは、汎用アプリケーションにおける編集コマンドが予め登録されている。これらの編集コマンドは、ユーザによって登録されてもよいし、汎用アプリケーションの編集コマンドを自動的に取得して登録する構成であってもよい。また、編集コマンドの登録は、公知の技術を用いて可能であるので、その説明は省略する。
【００３０】
また、汎用アプリケーションにおける編集コマンドが登録されているので、共有データを編集するために専用の編集アプリケーションを用いる必要がない。
【００３１】
〔表示端末１における処理の流れ〕
次に、図３、４を参照して、表示端末１における処理の流れを説明する。なお、ここでは、表示端末１Ａ、表示端末１Ｂ、および表示端末１Ｃの３台がネットワークを構成しているものとする。
【００３２】
まず、各表示端末１において、データ共有機能を起動する（Ｓ１０１、Ｓ２０１、Ｓ３０１）。データ共有機能は、例えば、表示部１１に表示されているボタン（ソフトキー）を押下される等の操作により、ハードディスク１４に格納されているデータ共有機能のプログラムが読み出されて起動する。データ共有機能を起動するときの表示画面例を図４に示す。図４の表示画面例４１に示すように、表示端末１Ａ（ホスト端末）は、「データ共有（ホスト）」の部分が押下されることにより、データ共有機能を起動する。また、表示画面例５１に示すように、表示端末１Ｂ（クライアント端末）は、「データ共有（クライアント）」の部分が押下されることにより、データ共有機能を起動する。
【００３３】
次に、ホスト端末である表示端末１Ａは、共有するファイルを特定する（Ｓ１０２）。ファイルは、表示部１１に表示されているボタンを押す等の操作により、ファイル共有部２４によって特定される（表示画面例４２）。特定されるファイルは、現在編集しているファイルでもよいし、ユーザによって選択されてもよい。
【００３４】
ファイルが特定されると、表示端末１Ａ、表示端末１Ｂ、および表示端末１Ｃにより構成されるネットワークを形成し（表示画面例４３：グループ形成ステップ）、ファイル共有部２４は、ネットワークを形成している他の表示装置１（１Ｂ、１Ｃ）に当該ファイルのデータを送信する（Ｓ１０３、データ送信ステップ）。そして、ファイルのデータを受信した表示端末１Ｂ、および表示端末１Ｃは、表示端末１ＡへＡＣＫを返し、受信したファイルを開く。一方、表示端末１ＡはＡＣＫを確認後、ファイルを開く。これにより、この時点で、全ての表示端末１で同じファイルが開かれた状態となる（表示画面例４４、５３）。このように、表示端末１Ａから、表示端末１Ｂ、表示端末１Ｃにファイルのデータが送信され、それぞれの表示端末１においてファイルが共有される（Ｓ１０４、Ｓ２０２、Ｓ３０２）。
【００３５】
なお、ネットワーク接続は、例えば、接続アプリケーションを用いて、表示端末１同士をかざすとこによりＮＦＣでつなげてもよいし、ＩＰアドレスを指定することにより接続してもよいし、自動で接続先表示端末１を探し出して接続するものであってもよい。
【００３６】
例えば、同一ネットワーク内に繋がっている表示端末のうち、ファイル共有を行うアプリケーションであるデータ共有ソフトを起動している表示端末を検索し、ヒットした全ての表示端末を自動的にネットワーク接続させてもよい。また、ヒットした表示端末をリスト化して表示部に表示させ、ファイル共有したい表示端末をユーザに選択させて、特定の表示端末をネットワーク接続させてもよい。
【００３７】
ファイルの共有後、表示端末１Ａにおいてファイルに対する編集コマンドが実行されると、コマンド送受信部２３は、当該編集コマンドを表示端末１Ｂ、および表示端末１Ｃに送信する（Ｓ１０６）。編集コマンドを受信した表示端末１Ｂ、および表示端末１Ｃは、当該編集コマンドをそれぞれ自端末のファイルに反映させる（Ｓ２０３、Ｓ３０３、データ処理ステップ）。なお、表示端末１Ａから送信される編集コマンドを第１処理情報とも呼び、表示端末１Ｂ、１Ｃ、…から送信される編集コマンドを第２処理情報とも呼ぶ。
【００３８】
また、第１処理情報および第２処理情報は、ホスト端末およびクライアント端末と関係するものではなく、注目している表示端末（自端末とする）から送信する編集コマンドを第１処理情報と呼び、自端末が受信する編集コマンドを第２処理情報と呼ぶ。したがって、第１処理情報および第２処理情報に違いは無く、編集コマンドは、第１処理情報にも第２処理情報にもなり得る。
【００３９】
また、表示端末１Ｂにおいてファイルに対する編集コマンドが実行されると（Ｓ２０４）、表示端末１Ｂのコマンド送受信部２３は、当該編集コマンドを表示端末１Ａ、および表示端末１Ｃに送信する（Ｓ２０５）。編集コマンドを受信した表示端末１Ａ、および表示端末１Ｃは、当該編集コマンドをそれぞれ自端末のファイルに反映させる（Ｓ１０７、Ｓ３０４、表示画面例４５、５４、データ処理ステップ）。
【００４０】
なお、編集コマンドが実行される表示端末１は、何れかに限られるものではなく、どの表示端末１で実行されてもよい。本実施形態では、編集コマンドが実行された表示端末１以外の表示端末１に当該編集コマンドが送信され、それぞれの表示端末１において実行される。
【００４１】
以上のように、本実施形態では、ネットワークを構成している各表示端末１それぞれに表示されているファイルについて、何れかの表示端末１においてファイルに対する編集コマンドが実行（編集処理）されると、当該編集コマンドが、他の表示装置１へ送信される。そして、編集コマンドを受信した他の表示装置１が、当該編集コマンドをそれぞれのファイルに反映させる。これにより、編集コマンドというデータ量の小さいデータの送受信のみでネットワークを構成している全ての表示端末１におけるファイルの表示を同じにすることができる。
【００４２】
なお、本実施形態では、便宜上、表示端末１Ａをホスト端末、表示端末１Ｂ、１Ｃ、…をクライアント端末として記載しているが、どの表示端末１も、ホスト端末にもクライアント端末にもなりうる。すなわち、共有するデータを初めに送信する表示端末１がホスト端末で、受信する表示端末１がクライアント端末であり、ホスト端末はどの表示端末１であってもよい。
【００４３】
〔実施形態２〕
本発明の他の実施形態について、図５、図６に基づいて説明すれば、以下のとおりである。なお、説明の便宜上、前記実施形態にて説明した部材と同じ機能を有する部材については、同じ符号を付記し、その説明を省略する。
本実施形態では、１つの表示端末１が複数のネットワークに含まれている。具体的に、図５を参照して説明する。図５に示す表示端末１Ａは、表示端末１Ｂ、表示端末１Ｃ、および表示端末１Ｄとネットワーク１００Ａを形成するとともに、表示端末１ａ、表示端末１ｂとネットワーク１００Ｂを形成している。このように、表示端末１Ａが複数のネットワークに含まれる場合は、ファイルごとに形成するネットワークを異ならせている。
【００４４】
例えば、図６の表示画面例６１に示すように、ファイルＡとファイルＢとがある場合、ファイルＡがアクティブ（最前面）になっているときは（表示画面例６１）、ファイルＡに対する編集コマンドが実行され、ファイルＡを共有しているネットワーク１００Ａに含まれる表示端末１（１Ｂ、１Ｃ、１Ｄ）に編集コマンドが送信される。また、ファイルＢがアクティブになっているときは（表示画面例６２）、ファイルＢに対する編集コマンドが実行され、ファイルＢを共有しているネットワーク１００Ｂに含まれる表示端末１（１ａ、１ｂ）に編集コマンドが送信される。
【００４５】
また、ネットワーク１００Ａに含まれる他の表示装置１において編集コマンドが実行された場合は、表示端末１ＡのファイルＡに対し編集コマンドが実行される。同様に、ネットワーク１００Ｂに含まれる他の表示装置１において編集コマンドが実行された場合は、表示端末１ＡのファイルＢに対し編集コマンドが実行される。
【００４６】
なお、送信した編集コマンドが、送信先の表示端末１で実行されたか否かを確認する方法としては、例えば、何れか表示端末１で処理対象となっているファイルを選択し、それ以外の表示端末１で同期（上書き保存）する処理を実行してもよいし、サーバにあるファイルを用いて同期する処理を実行してもよい。
【００４７】
〔実施形態３〕（ソフトウェアによる実現例）
表示端末１の制御ブロック（特にファイル処理部２１、コマンド受付部２２、コマンド送受信部２３、ファイル共有部２４、および通信部２５）は、集積回路（ＩＣチップ）等に形成された論理回路（ハードウェア）によって実現してもよいし、ＣＰＵ（Central Processing Unit）を用いてソフトウェアによって実現してもよい。
【００４８】
後者の場合、表示端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４９】
〔まとめ〕
本発明の態様１に係る表示端末は、表示中のデータに対し処理を実行する表示端末であって、所望の他の表示端末とグループを形成するグループ形成手段（ファイル共有部２４）と、上記グループ形成手段によって形成されたグループに含まれる上記の他の表示端末と共有している上記データに対する第１処理を受け付ける受付部（操作受付部１２）と、上記受付部で受け付けた上記第１処理を示す第１処理情報を上記の他の表示端末に送信する処理情報送信手段（コマンド送受信部２３）と、上記受付部で受け付けた上記第１処理を上記データに反映させるとともに、上記の他の表示端末にて上記の共有されているデータに対しなされた第２処理を示す第２処理情報を当該他の表示端末から受信したとき、該第２処理を上記データに反映させるデータ処理手段（ファイル処理部２１）と、を備えている。
【００５０】
上記の構成によれば、所望の表示端末からなるグループにおいて、共有している処理対象となるデータに対する処理が実行されると、表示端末のデータに対する処理が反映されるとともに、他の表示端末に対し、該処理を示す第１処理情報が送信される。また、他の表示端末から、当該他の表示端末にて、上記データに対しなされた処理を示す第２処理情報を受信したとき、該処理情報が示す処理を上記データに反映させる。
【００５１】
これにより、所望の表示端末からなるグループで共有しているデータに対し、何らかの処理が実行されると、グループ内の全ての表示端末で該処理を反映することができる。よって、グループ内の全ての表示端末で同じ内容のデータを表示できる。また、データ共有後は、処理情報の送受信のみで同じ内容のデータを表示可能となるので、画面データを送受信する場合と比較して、データ転送負荷が増大してしまうということを防止することができる。
【００５２】
なお、処理の内容としては、例えば、テキストデータの編集（文字の追加・修正・削除、フォントの変更、色の変更）が挙げられる。
【００５３】
本発明の態様２に係る表示端末は、上記態様１において、上記グループ形成手段によって形成されたグループに含まれる上記の他の表示端末との間で、上記データの送信および受信の少なくとも何れかを行うことにより共有する上記データを準備するデータ準備手段を備えているものであってもよい。
【００５４】
上記の構成によれば、データの送信および受信の少なくとも何れかを実行することにより、複数の表示端末間で共有するデータを準備することができる。
【００５５】
本発明の態様３に係る表示端末は、上記態様１または２において、上記のデータは複数であり、上記グループ形成手段は、上記データ毎に異なるグループを形成するものであってもよい。
【００５６】
上記の構成によれば、データ毎に異なるグループを形成することができるので、データを共有するグループのバリエーションを増やすことができる。
【００５７】
本発明の態様４に係る表示端末に制御方法は、表示中のデータに対し処理を実行する表示端末の制御方法であって、上記表示端末のグループ形成手段が、所望の他の表示端末とグループを形成するグループ形成ステップと、上記表示端末のデータ処理手段が、受付部で受け付けた、上記グループ形成ステップによって形成されたグループに含まれる上記の他の表示端末と共有している上記データに対する第１処理を上記データに反映させるデータ処理ステップと、上記表示端末の処理情報送信手段が、上記受付部で受け付けた上記第１処理を示す第１処理情報を上記の他の表示端末に送信する処理情報送信ステップと、を含み、上記の他の表示端末にて上記の共有されているデータに対しなされた第２処理を示す第２処理情報を当該他の表示端末から受信したとき、上記データ処理手段は上記データに該第２処理情報が示す処理を上記データに反映させる。
【００５８】
これにより、所望の表示端末からなるグループで共有しているデータに対し、何らかの処理が実行されると、グループ内の全ての表示端末で該処理を反映することができる。よって、グループ内の全ての表示端末で同じ内容のデータを表示できる。また、データ共有後は、処理情報の送受信のみで同じ内容のデータを表示可能となるので、画面データを送受信する場合と比較して、データ転送負荷が増大してしまうということを防止することができる。
【００５９】
本発明の各態様に係る表示端末は、コンピュータによって実現してもよく、この場合には、コンピュータを上記表示端末が備える各手段として動作させることにより上記表示端末をコンピュータにて実現させる表示端末の制御プログラム、およびそれを記録したコンピュータ読み取り可能な記録媒体も、本発明の範疇に入る。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６１】
本発明は、同じデータを複数の端末に表示するとともに、何れかの端末においてなされたデータに対する編集処理の結果を他の端末にも反映させるシステムに利用することができる。
【符号の説明】
【００６２】
１（１Ａ、１Ｂ、…）：表示端末、１０：制御部、１１：表示部、１２：操作受付部（受付部）、１３：ＲＡＭ、１４：ハードディスク、２１：ファイル処理部（データ処理手段）、２２：コマンド受付部、２３：コマンド送受信部（処理情報送信手段）、２４：ファイル共有部（グループ形成手段、データ準備手段）、２５：通信部、３１：ファイル、１００：ネットワーク
【図１】
2015219785.tif 000003
【図２】
2015219785.tif 000004
【図３】
2015219785.tif 000005
【図４】
2015219785.tif 000006
【図５】
2015219785.tif 000007
【図６】
2015219785.tif 000008